(57)【要約】  課題は、無線通信に適切な周波数チャネルの設定が可能になる、表示方法、プログラム、表示装置、計測装置、及び、計測表示システムを提供することである。表示方法は、取得ステップと、表示ステップとを含む。取得ステップは、電波を媒体とする無線通信に利用される複数の周波数チャネルに含まれる複数の特定の周波数チャネルのそれぞれについて、電波強度に基づいて決定される混雑度を取得する。表示ステップは、複数の特定の周波数チャネルのそれぞれの混雑度に基づいて混雑状況を表示する。
2020095646.tif 000002
【特許請求の範囲】
【請求項１】
電波を媒体とする無線通信に利用される複数の周波数チャネルに含まれる複数の特定の周波数チャネルのそれぞれについて、電波強度に基づいて決定される混雑度を取得する取得ステップと、
前記複数の特定の周波数チャネルのそれぞれの混雑度に基づいて混雑状況を表示する表示ステップと、
を含む、
表示方法。
【請求項２】
前記表示ステップは、前記複数の特定の周波数チャネルのうち混雑度が最も低い特定の周波数チャネルの使用を推奨する表示を行う、
請求項１の表示方法。
【請求項３】
前記表示ステップは、前記複数の特定の周波数チャネルのうち、混雑度が規定値未満であり、かつ混雑度が最も低い特定の周波数チャネルの使用を推奨する表示を行う、
請求項１又は２の表示方法。
【請求項４】
前記表示ステップは、前記複数の特定の周波数チャネルのいずれの混雑度も前記規定値未満でない場合、前記複数の特定の周波数チャネルのそれぞれの混雑度の再取得を推奨する表示を行う、
請求項３の表示方法。
【請求項５】
前記表示ステップは、前記取得ステップで混雑度が取得される毎に、前記取得ステップで混雑度が取得された特定の周波数チャネルの混雑状況を更新する、
請求項１〜４のいずれか一つの表示方法。
【請求項６】
前記複数の特定の周波数チャネルのそれぞれについて、前記混雑度は、電波強度から求められる混雑率により決定される、
請求項１〜５のいずれか一つの表示方法。
【請求項７】
前記混雑状況は、前記複数の特定の周波数チャネルのそれぞれについて、１以上の地点での１以上の混雑率の代表値を含む、
請求項６の表示方法。
【請求項８】
前記混雑状況は、前記複数の特定の周波数チャネルのそれぞれについて、同一の地点での複数の混雑率の代表値を含む、
請求項６の表示方法。
【請求項９】
前記混雑状況は、前記複数の特定の周波数チャネルのそれぞれについて、異なる複数の地点について求められた複数の混雑率の代表値を含む、
請求項６の表示方法。
【請求項１０】
前記代表値は、最高値である、
請求項７〜９のいずれか一つの表示方法。
【請求項１１】
前記混雑率は、電波強度を複数回計測した場合における、電波強度が閾値以上となった割合で表される、
請求項６〜１０のいずれか一つの表示方法。
【請求項１２】
１以上のプロセッサに、請求項１〜１１のいずれか一つの表示方法を実行させるための、
プログラム。
【請求項１３】
電波を媒体とする無線通信に利用される複数の周波数チャネルに含まれる複数の特定の周波数チャネルのそれぞれについて、電波強度に基づいて決定される混雑度を取得する取得部と、
前記複数の特定の周波数チャネルのそれぞれの混雑度に基づいて混雑状況を表示する表示部と、
を備える、
表示装置。
【請求項１４】
電波を媒体とする無線通信に利用される複数の周波数チャネルに含まれる複数の特定の周波数チャネルのそれぞれについて、電波強度を計測する計測部と、
前記複数の特定の周波数チャネルのそれぞれについて、電波強度に基づいて混雑度を決定する決定部と、
を備える、
計測装置。
【請求項１５】
電波を媒体とする無線通信に利用される複数の周波数チャネルに含まれる複数の特定の周波数チャネルのそれぞれについて、電波強度を計測する計測部と、
前記複数の特定の周波数チャネルのそれぞれについて、電波強度に基づいて混雑度を決定する決定部と、
前記複数の特定の周波数チャネルのそれぞれの混雑度に基づいて混雑状況を表示する表示部と、
を備える、
計測表示システム。
【発明の詳細な説明】
【技術分野】
【０００１】
本開示は、一般に、表示方法、プログラム、表示装置、計測装置、及び、計測表示システムに関する。本開示は、特に、無線通信に利用する周波数チャネルの選択のための、表示方法、プログラム、表示装置、計測装置、及び、計測表示システムに関する。
【背景技術】
【０００２】
特許文献１は、複数の照明器具と端末装置とを備える照明システムを開示する。照明システムでは、端末装置に照明器具の設定情報を提供するためにサーバ装置が利用されており、サーバ装置と端末装置、又はサーバ装置と照明器具とは無線通信を行う。【０００３】
しかしながら、無線通信は、周囲の環境による影響を受けやすく、無線通信の周波数チャネルの選択の仕方によっては、機器間での無線通信が行えない場合もあり得る。そのため、無線通信を利用するシステム（無線通信システム）を設置するにあたっては、周囲の環境が無線通信に与える影響を考慮して、適切な周波数チャネルの選択を行うことが望ましい。しかしながら、このような周囲の環境が無線通信に与える影響は、人間の五感では判断しにくい。
【先行技術文献】
【特許文献】
【０００４】
【特許文献１】特開２０１７−１６２７１９号公報
【発明の概要】
【０００５】
課題は、無線通信に適切な周波数チャネルの設定が可能になる、表示方法、プログラム、表示装置、計測装置、及び、計測表示システムを提供することである。
【０００６】
本開示の一態様の表示方法は、取得ステップと、表示ステップとを含む。前記取得ステップは、電波を媒体とする無線通信に利用される複数の周波数チャネルに含まれる複数の特定の周波数チャネルのそれぞれについて、電波強度に基づいて決定される混雑度を取得するステップである。前記表示ステップは、前記複数の特定の周波数チャネルのそれぞれの混雑度に基づいて混雑状況を表示するステップである。
【０００７】
本開示の一態様のプログラムは、１以上のプロセッサに、前記表示方法を実行させるための、プログラムである。
【０００８】
本開示の一態様の表示装置は、取得部と、表示部とを備える。前記取得部は、電波を媒体とする無線通信に利用される複数の周波数チャネルに含まれる複数の特定の周波数チャネルのそれぞれについて、電波強度に基づいて決定される混雑度を取得する。前記表示部は、前記複数の特定の周波数チャネルのそれぞれの混雑度に基づいて混雑状況を表示する。
【０００９】
本開示の一態様の計測装置は、計測部と、決定部とを備える。前記計測部は、電波を媒体とする無線通信に利用される複数の周波数チャネルに含まれる複数の特定の周波数チャネルのそれぞれについて、電波強度を計測する。前記決定部は、前記複数の特定の周波数チャネルのそれぞれについて、電波強度に基づいて混雑度を決定する。
【００１０】
本開示の一態様の計測表示システムは、計測部と、決定部と、表示部とを備える。前記計測部は、電波を媒体とする無線通信に利用される複数の周波数チャネルに含まれる複数の特定の周波数チャネルのそれぞれについて、電波強度を計測する。前記決定部は、前記複数の特定の周波数チャネルのそれぞれについて、電波強度に基づいて混雑度を決定する。前記表示部は、前記複数の特定の周波数チャネルのそれぞれの混雑度に基づいて混雑状況を表示する。
【図面の簡単な説明】
【００１１】
【図１】図１は、一実施形態の計測表示システムのブロック図である。
【図２】図２は、上記計測表示システムにより表示される画面の一例を示す図である。
【図３】図３は、無線通信システムの一例（負荷制御システム）のブロック図である。
【図４】図４は、上記計測表示システムの説明図である。
【図５】図５は、上記計測表示システムにより表示される画面の一例を示す図である。
【図６】図６は、上記計測表示システムにより表示される画面の一例を示す図である。
【図７】図７は、上記計測表示システムにより表示される画面の一例を示す図である。
【図８】図８は、上記計測表示システムにより表示される画面の一例を示す図である。
【図９】図９は、上記計測表示システムの動作のフローチャートである。
【発明を実施するための形態】
【００１２】
１．実施形態
１．１  概要
図１は、一実施形態の表示方法を実行する計測表示システム１０を示す。本実施形態の表示方法は、取得ステップと、表示ステップとを含む。取得ステップは、電波を媒体とする無線通信に利用される複数の周波数チャネルに含まれる複数の特定の周波数チャネルのそれぞれについて、電波強度に基づいて決定される混雑度を取得するステップである。表示ステップは、複数の特定の周波数チャネルのそれぞれの混雑度に基づいて混雑状況を表示するステップである。計測表示システム１０は、表示方法を実行することによって、図２に示すような表示画面Ｐ１０を表示する。表示画面Ｐ１０では、表示領域Ｒ２１〜Ｒ２６及び表示領域Ｒ３１〜Ｒ３６に混雑状況が表示されている。
【００１３】
本実施形態の表示方法によれば、複数の特定の周波数チャネルのそれぞれの混雑度に基づいて混雑状況が表示される。したがって、ユーザは、周囲の環境が無線通信に与える影響を混雑状況という指標で判断することができる。これによって、ユーザは、無線通信に適切な周波数チャネルの選択を、確実に、行うことができる。よって、本実施形態の表示方法によれば、無線通信に適切な周波数チャネルの設定が可能になる。
【００１４】
１．２  詳細
以下、本実施形態の表示方法について更に詳細に説明する。本実施形態の表示方法は、図１に示す、計測表示システム１０によって実行される。計測表示システム１０は、電波を媒体とする無線通信を行う無線通信システムの設置の際に利用され得る。特に、計測表示システム１０は、無線通信システムの設置を予定している場所において、無線通信システムが利用するのに適した周波数チャネルを決定するために利用され得る。
【００１５】
図３は、無線通信システムの一例である、負荷制御システム１００を示す。負荷制御システム１００は、負荷を制御するシステムである。負荷制御システム１００は、図３に示すように、設定システム６００、管理装置２００、コントローラ３００、複数（ここでは、３つ）のリレー４００、複数の照明器具５００、及び、設定システム６００を備える。負荷制御システム１００では、照明器具５００が負荷である。つまり、負荷制御システム１００は、照明器具を制御する照明制御システムとしての側面を有する。
【００１６】
管理装置２００は、２線式の通信線により複数のリレー４００と接続されている。管理装置２００は、複数のリレー４００に対して、一括または個別に動作状態を通信線を介して制御する。ここで、動作状態には、オン状態とオフ状態とがあり、管理装置２００は、リレー４００をオン状態からオフ状態への切り替える処理、及びオフ状態からオン状態への切り替える処理を行う。
【００１７】
複数のリレー４００の各々には、１つ以上の照明器具５００が接続されている。複数の照明器具５００を個別に記載する必要がある場合には、照明器具５０１，５０２，・・・、５０８と記載する。複数のリレー４００は、電力を供給する電源（例えば商用電源）と接続されており、リレー４００がオン状態である場合には、リレー４００は、電源からの電力をリレー４００に接続された照明器具５００に供給する。リレー４００がオフ状態である場合には、リレー４００は電源からの電力をリレー４００に接続された照明器具５００に供給しない。
【００１８】
コントローラ３００は、管理装置２００と有線で接続されている。コントローラ３００は、複数のグループを含む設定情報を記憶し、管理装置２００の指示に基づいて複数のグループのうちいずれかのグループに各々が属する複数の照明器具５００に対して複数のグループごとに制御する。例えば、コントローラ３００は、管理装置２００の指示に基づいて、制御対象のグループに含まれる１つ以上の照明器具５００の調光及び調色の少なくとも一方の制御を行う。
【００１９】
複数の照明器具５００は、設定システム６００及びコントローラ３００と通信可能に構成されている。各照明器具５００は、複数の通信方式での通信が可能に構成されている。本実施形態では、免許を必要としない小電力無線（特定小電力無線）の無線通信による通信方式、及び小電力無線による通信よりも指向性が高い赤外線を用いた無線通信による通信方式で通信が可能である。ここで、小電力無線（特定小電力無線）の無線通信では、単位時間（例えば、１秒間）に送信できるデータ量は、赤外線通信よりも多い。また、小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。以下の説明において、赤外線を用いた無線通信による通信方式を赤外線通信方式と、小電力無線を用いた無線通信による通信方式を電波通信方式と、それぞれいう。
【００２０】
各照明器具５００は、赤外線通信方式による無線通信で設定システム６００からの信号を受信する。各照明器具５００は、設定システム６００に情報を送信する場合には、電波通信方式による無線通信で送信する。さらに、各照明器具５００は、コントローラ３００との間では、電波通信方式による無線通信で通信を行う。
【００２１】
負荷制御システム１００では、設定システム６００は、１つの照明器具５００についてグループ所属先を変更する場合において、第１識別子と、第２識別子とを、コントローラ３００に電波通信方式で送信する。第１識別子は、グループの変更対象となる照明器具５００の識別子である。第２識別子は、変更対象の照明器具５００が変更後に属するグループの照明器具５００の識別子である。コントローラ３００は、第１識別子と第２識別子とを用いて、変更対象となる照明器具５００が第２識別子の照明器具５００が属するグループに属するように、グループの構成を変更、つまり設定情報を変更する。設定システム６００は、設定情報に新規グループを含める場合において、新規グループに属することになる照明器具５００の識別子（第３識別子）を、コントローラ３００に電波通信方式で送信する。コントローラ３００は、第３識別子を用いて、照明器具５００が属し、設定情報に含まれる新たなグループを生成して、設定情報を更新（変更）する。
【００２２】
このように、負荷制御システム１００では、照明器具５００、コントローラ３００、及び、設定システム６００は、電波通信方式による無線通信で通信を行う。計測表示システム１０は、負荷制御システム１００での電波通信方式による無線通信に適切な周波数チャネルの選択のために利用され得る。
【００２３】
計測表示システム１０は、図１に示すように、表示装置２０と、複数の計測装置３０と、を備える。
【００２４】
一例として、計測表示システム１０は、６つの計測装置３０を備える。６つの計測装置３０は、図４に示すように、施設７００の異なる地点Ｐ１〜Ｐ６に設置されている。
【００２５】
施設７００は、無線通信システム（負荷制御システム１００）の設置を予定している場所である。地点Ｐ１〜Ｐ６は、負荷制御システム１００において無線通信を行う機器（照明器具等）を設置する地点であるとよい。
【００２６】
図４では、施設７００は、ビルの一フロアを表している。施設７００の例としては、戸建て住宅の他に、集合住宅（住戸、共用部）、店舗、ビル（ビル全体、フロア内）が挙げられる。また、施設７００は、建物だけではなく、建物とその建物が存在する敷地とを含んでいてもよく、例えば、工場や、公園、病院、商業施設等が挙げられる。
【００２７】
各計測装置３０は、通信部３１と、処理部３２と、を備える。通信部３１及び処理部３２は、同一の筐体に収容され得る。
【００２８】
通信部３１は、通信インターフェースである。通信部３１は、計測装置３０を表示装置２０に通信可能に接続する機能を有する。通信部３１は、所定の通信プロトコルに準拠している。所定の通信プロトコルは、周知の様々な有線及び無線通信規格（例えば、電灯線通信プロトコル、無線通信プロトコル、赤外線通信プロトコル、拡張ＨＢＳプロトコル、Lon Talk（登録商標）プロトコル）から選択され得る。また、無線通信プロトコルの例としては、特定小電力無線の規格及び無線ＬＡＮ（Local Area Network）の規格が挙げられる。特定小電力無線の規格としては、Ｗｉ−ＳＵＮ（登録商標）の規格及びＷｉ−ＳＵＮ  ＨＡＮ（登録商標）が挙げられる。無線ＬＡＮの規格としては、Ｗｉ−Ｆｉ（登録商標）が挙げられる。
【００２９】
処理部３２は、計測装置３０の全体的な制御、すなわち、通信部３１を制御するように構成される。処理部３２は、１以上のプロセッサ（マイクロプロセッサ）と１以上のメモリとを含むコンピュータシステムにより実現され得る。つまり、１以上のプロセッサが１以上のメモリに記憶された１以上のプログラム（アプリケーション）を実行することで、処理部３２として機能する。プログラムは、ここでは処理部３２のメモリに予め記録されているが、インターネット等の電気通信回線を通じて、又はメモリカード等の非一時的な記録媒体に記録されて提供されてもよい。
【００３０】
処理部３２は、計測部Ｆ３１と、決定部Ｆ３２とを備える。計測部Ｆ３１と、決定部Ｆ３２とは、実体のある構成を示しているわけではなく、処理部３２によって実現される機能を示している。
【００３１】
計測部Ｆ３１は、電波を媒体とする無線通信に利用される複数の周波数チャネルに含まれる複数の特定の周波数チャネルのそれぞれについて、電波強度を計測するように構成される。特に、本実施形態では、計測部Ｆ３１は、通信部３１を利用して、複数の特定の周波数チャネルのそれぞれについて、電波強度を計測するように構成される。電波強度は、複数の特定の周波数チャネルのそれぞれについて、通信部３１で受信している電波（電波信号）の強度で表される。別の観点から見れば、電波強度は、通信部３１がある場所での電界の強度であるといえる。
【００３２】
ここで、複数の周波数チャネルは、負荷制御システム１００が実行する電波を媒体とする無線通信で利用される。一例として、複数の周波数チャネルは、９２０ＭＨｚ帯に含まれる。具体的には、複数の周波数チャネルは、９２３．８、９２４．０、９２４．２、９２４．４、９２４．６、９２４．８、９２５．０、９２５．２、９２５．４、９２５．６、９２５．８、９２６．０、９２６．２、９２６．４、９２６．６、９２６．８、９２７．０、９２７．２、９２７．４、９２７．６、９２７．８、９２８．０の２２の周波数チャネルである。複数の特定の周波数チャネルは、これら複数の周波数チャネルから選択された２以上の周波数チャネルであってよい。一例として、複数の特定の周波数チャネルは、９２３．８、９２４．２、９２４．６、９２５．０、９２５．４、９２５．８、９２６．２、９２６．６、９２７．０、９２７．４、９２７．８の１１の周波数チャネルであってよい。なお、複数の周波数チャネルの全てが、複数の特定の周波数チャネルとして利用されてもよい。
【００３３】
本実施形態では、計測部Ｆ３１は、複数の特定の周波数チャネルのそれぞれについて、複数回の電波強度の計測を行う。例えば、計測部Ｆ３１は、所定期間の間に、一定間隔で、電波強度の計測を行う。一例として、所定期間は、１０秒であり、一定間隔は０．１秒であってよい。この場合、一つの特定の周波数チャネルの電波強度について、１００の計測値が得られる。
【００３４】
決定部Ｆ３２は、複数の特定の周波数チャネルのそれぞれについて、電波強度に基づいて混雑度を決定するように構成される。複数の特定の周波数チャネルのそれぞれについて、混雑度は、電波強度から求められる混雑率により決定される。混雑率は、電波強度を複数回計測した場合における、電波強度が閾値以上となった割合で表される。本実施形態では、混雑率は百分率で表されている。上述したように、計測部Ｆ３１は、一つの特定の周波数チャネルの電波強度について、１００の計測値を得る。ここで、閾値以上の計測値の数が１５であれば、混雑率は１５％となる。閾値は、閾値を超える電波強度の無線通信への影響の可能性を考慮して適宜決定される。決定部Ｆ３２は、複数の特定の周波数チャネルのそれぞれについて得られた混雑率を、その混雑度とする。
【００３５】
表示装置２０は、図１に示すように、入出力部２１と、通信部２２と、処理部２３と、を備える。入出力部２１、通信部２２、及び処理部２３は、同一の筐体に収容され得る。表示装置２０は、情報端末であり、例えば、スマートフォンである。なお、表示装置２０は、タブレット端末、ウェアラブル端末等の携帯端末、又はパーソナルコンピュータにより実現され得る。
【００３６】
入出力部２１は、表示装置２０を操作するための入力装置を備える。入力装置は、例えば、タッチパッド及び／又は１以上のボタンを有する。また、入出力部２１は、視覚情報を表示するための画像表示装置を備える。画像表示装置は、液晶ディスプレイや有機ＥＬディスプレイなどの薄型のディスプレイ装置である。なお、入出力部２１のタッチパッドと画像表示装置とでタッチパネルが構成されてもよい。
【００３７】
通信部２２は、通信インターフェースである。通信部２２は、表示装置２０を計測装置３０に通信可能に接続する機能を有する。通信部２２は、所定の通信プロトコルに準拠している。所定の通信プロトコルは、周知の様々な有線及び無線通信規格（例えば、電灯線通信プロトコル、無線通信プロトコル、赤外線通信プロトコル、拡張ＨＢＳプロトコル、Lon Talk（登録商標）プロトコル）から選択され得る。また、無線通信プロトコルの例としては、特定小電力無線の規格及び無線ＬＡＮ（Local Area Network）の規格が挙げられる。特定小電力無線の規格としては、Ｗｉ−ＳＵＮ（登録商標）の規格及びＷｉ−ＳＵＮ  ＨＡＮ（登録商標）が挙げられる。無線ＬＡＮの規格としては、Ｗｉ−Ｆｉ（登録商標）が挙げられる。
【００３８】
処理部２３は、表示装置２０の全体的な制御、すなわち、入出力部２１及び通信部２２を制御するように構成される。処理部２３は、１以上のプロセッサ（マイクロプロセッサ）と１以上のメモリとを含むコンピュータシステムにより実現され得る。つまり、１以上のプロセッサが１以上のメモリに記憶された１以上のプログラム（アプリケーション）を実行することで、処理部２３として機能する。プログラムは、ここでは処理部２３のメモリに予め記録されているが、インターネット等の電気通信回線を通じて、又はメモリカード等の非一時的な記録媒体に記録されて提供されてもよい。
【００３９】
処理部２３は、取得部Ｆ２１と、表示部Ｆ２２とを備える。取得部Ｆ２１と、表示部Ｆ２２とは、実体のある構成を示しているわけではなく、処理部２３によって実現される機能を示している。
【００４０】
取得部Ｆ２１は、電波を媒体とする無線通信に利用される複数の周波数チャネルに含まれる複数の特定の周波数チャネルのそれぞれについて、電波強度に基づいて決定される混雑度を取得するように構成される。つまり、取得部Ｆ２１は、電波を媒体とする無線通信に利用される複数の周波数チャネルに含まれる複数の特定の周波数チャネルのそれぞれについて、電波強度に基づいて決定される混雑度を取得するステップ（取得ステップ）を実行する。
【００４１】
本実施形態では、取得部Ｆ２１は、１以上の計測装置３０から、混雑度を取得する。本実施形態では、取得部Ｆ２１は、計測装置３０から混雑度を取得する。取得部Ｆ２１は、通信部２２を通じて計測装置３０に混雑度の要求を行い、これによって、計測装置３０から混雑度を取得する。計測表示システム１０は複数の計測装置３０を備えているため、取得部Ｆ２１は、複数の計測装置３０のそれぞれから、混雑度を取得する。本実施形態では、施設７００の異なる地点Ｐ１〜Ｐ６に置かれた計測装置３０から、複数の特定の周波数チャネルのそれぞれの混雑度が取得され、混雑度は混雑率により表されている。つまり、特定の周波数チャネルのそれぞれについて、異なる地点Ｐ１〜Ｐ６での混雑率が取得される。また、取得部Ｆ２１は、計測装置３０毎に混雑度を要求するのではなく、特定の周波数チャネル毎に混雑度を要求する。つまり、取得部Ｆ２１は、複数の特定の周波数チャネルのうちの一つについて、すべての計測装置３０から混雑度を取得した後に、次の特定の周波数チャネルについて、すべての計測装置３０から混雑度を取得する。このように、取得部Ｆ２１は、複数の特定の周波数チャネル毎に混雑度を取得する。
【００４２】
表示部Ｆ２２は、複数の特定の周波数チャネルのそれぞれの混雑度に基づいて混雑状況を表示するように構成される。つまり、表示部Ｆ２２は、複数の特定の周波数チャネルのそれぞれの混雑度に基づいて混雑状況を表示するステップ（表示ステップ）を実行する。
【００４３】
本実施形態では、表示部Ｆ２２は、取得部Ｆ２１が取得した混雑度に基づいて混雑状況を表示する。本実施形態では、表示部Ｆ２２は、取得部Ｆ２１が取得した混雑度をすべて表示する代わりに、複数の特定の周波数チャネルのそれぞれについて、１以上の地点での１以上の混雑率の代表値を表示する。つまり、混雑状況は、複数の特定の周波数チャネルのそれぞれについて、１以上の地点での１以上の混雑率の代表値を含む。ここで、代表値は、１以上の混雑率のうち最も高い値（混雑率の最高値）である。本実施形態では、特定の周波数チャネルのそれぞれについて、異なる地点Ｐ１〜Ｐ６での混雑率が取得される。そのため、異なる地点Ｐ１〜Ｐ６での混雑率のうち最も高い混雑率が、混雑率の代表値として使用される。また、本実施形態では、混雑状況は、混雑度の目安となる表示を含む。混雑度の目安となる表示は、使用を推奨できる周波数チャネルを示す推奨マーク、又は、混雑している周波数チャネルを示す混雑マークのいずれかである。本実施形態では、推奨マークは「〇」で表され、混雑マークは「△」で表される。特定の周波数チャネルの混雑度が規定値未満であれば、推奨マークが表示され、特定の周波数チャネルの混雑度が規定値以上であれば、混雑マークが表示される。本実施形態では、一つの特定の周波数チャネルにつき、複数の地点Ｐ１〜Ｐ６での混雑度が得られることから、特定の周波数チャネルの混雑度として混雑率の代表値を利用する。規定値は、規定値以上の混雑度での無線通信の実現可能性を考慮して適宜決定される。例えば、規定値は、１０［％］に設定され得る。
【００４４】
本実施形態では、表示部Ｆ２２は、入出力部２１の画像表示装置に、混雑状況を表示するための結果表示画面Ｄ１０（図２及び図５〜図８参照）を表示する。なお、図２及び図５〜図８において、符号及び当該符号の付随物（指示線や矢印等）は、結果表示画面Ｄ１０の説明のために記載されており、結果表示画面Ｄ１０自体に含まれているわけではない。なお、図２及び図５〜図８では、単に説明を分かりやすくするためだけに、６つの特定の周波数チャネルについて混雑状況を表示する例を示している。
【００４５】
以下、結果表示画面Ｄ１０について説明する。結果表示画面Ｄ１０は、図２に示すように、グループボックスＧ１１〜Ｇ１６と、ラベルＬ１１〜Ｌ１４と、ボタンＢ２１，Ｂ２２と、を含む。
【００４６】
グループボックスＧ１１〜Ｇ１６は、それぞれ、複数の特定の周波数チャネルに対応する。なお、図２では、グループボックスＧ１１〜Ｇ１６は、複数の特定の周波数チャネルのうちの６つの特定の周波数チャネルに対応している。グループボックスＧ１１〜Ｇ１６は、ラジオボタンＢ１１〜Ｂ１６、（第１）表示領域Ｒ１１〜Ｒ１６、（第２）表示領域Ｒ２１〜Ｒ２６、及び、（第３）表示領域Ｒ３１〜Ｒ３６を、それぞれ、含む。
【００４７】
ラジオボタンＢ１１〜Ｂ１６は、複数の特定の周波数チャネルから無線通信で使用する特定の周波数チャネルを選択するために利用される。
【００４８】
第１表示領域Ｒ１１〜Ｒ１６は、複数の特定の周波数チャネルを識別するための識別情報の表示に利用される。識別情報は、例えば、特定の周波数チャネルに排他的に割り当てられた名称である。図２では、第１表示領域Ｒ１１に「１ＣＨ」、第１表示領域Ｒ１２に「２ＣＨ」、第１表示領域Ｒ１３に「３ＣＨ」、第１表示領域Ｒ１４に「４ＣＨ」、第１表示領域Ｒ１５に「５ＣＨ」、第１表示領域Ｒ１６に「６ＣＨ」が表示されている。
【００４９】
第２表示領域Ｒ２１〜Ｒ２６及び第３表示領域Ｒ３１〜Ｒ３６は、対応する特定の周波数チャネルの混雑状況を表している。第２表示領域Ｒ２１〜Ｒ２６は、混雑度の目安の表示に利用される。図２では、第２表示領域Ｒ２１，Ｒ２３，Ｒ２５，Ｒ２６に、推奨マーク（「〇」）が表示され、第２表示領域Ｒ２２，Ｒ２４に、混雑マーク（「△」）が表示されている。第３表示領域Ｒ３１〜Ｒ３６は、混雑率の代表値の表示に利用される。図２では、第３表示領域Ｒ３１に「１」、第３表示領域Ｒ３２に「１５」、第３表示領域Ｒ３３に「１」、第３表示領域Ｒ３４に「１００」、第３表示領域Ｒ３５に「０」、第３表示領域Ｒ３６に「２」が表示されている。
【００５０】
ラベルＬ１１は、ラジオボタンＢ１１〜Ｂ１６に対応して配置されており、ラジオボタンＢ１１〜Ｂ１６の役割を表示する。図２では、ラベルＬ１１は「選択」という文字列を表示する。ラベルＬ１２は、第１表示領域Ｒ１１〜Ｒ１６に対応して配置されており、第１表示領域Ｒ１１〜Ｒ１６の表示内容の説明を表示する。図２では、ラベルＬ１２は「チャンネル」という文字列を表示する。ラベルＬ１３は、第２表示領域Ｒ２１〜Ｒ２６に対応して配置されており、第２表示領域Ｒ２１〜Ｒ２６の表示内容の説明を表示する。図２では、ラベルＬ１３は「調査結果」という文字列を表示する。ラベルＬ１４は、第３表示領域Ｒ３１〜Ｒ３６に対応して配置されており、第３表示領域Ｒ３１〜Ｒ３６の表示内容の説明を表示する。図２では、ラベルＬ１４は「レベル」という文字列を表示する。
【００５１】
ボタンＢ２１は、結果表示画面Ｄ１０の表示を終了するためのボタンである。ボタンＢ２１が操作されると、表示部Ｆ２２は、結果表示画面Ｄ１０の表示を終了する。また、取得部Ｆ２１が特定の周波数チャネルの全てから混雑度を取得していない場合には、混雑度を取得する作業を中止する。ボタンＢ２２は、ラジオボタンＢ１１〜Ｂ１６により選択中の特定の周波数チャネルの使用を決定するためのボタンである。表示装置２０は、ボタンＢ２２が操作されると、ラジオボタンＢ１１〜Ｂ１６により選択中の特定の周波数チャネルについての情報を、負荷制御システム１００に通知する。負荷制御システム１００は、表示装置２０からの通知に応じて、周波数チャネルを設定してよい。
【００５２】
表示部Ｆ２２は、取得部Ｆ２１で混雑度が取得される毎に、取得部Ｆ２１で混雑度が取得された特定の周波数チャネルの混雑状況を更新する。つまり、表示部Ｆ２２は、取得部Ｆ２１ですべての特定の周波数チャネルの混雑度が取得されなくても、結果表示画面Ｄ１０を表示し、取得部Ｆ２１で混雑度が取得される毎に結果表示画面Ｄ１０を更新する。より詳細には、表示部Ｆ２２は、取得部Ｆ２１でいずれの特定の周波数チャネルの混雑度が取得されていない場合、図５に示すような、結果表示画面Ｄ１０を表示する。図５の結果表示画面Ｄ１０では、第２表示領域Ｒ２１〜Ｒ２６には、推奨マークと混雑マークのいずれも表示されておらず、第３表示領域Ｒ３１〜Ｒ３６にも、混雑度が表示されていない。つまり、結果表示画面Ｄ１０では、混雑状況が表示されていない。そして、表示部Ｆ２２は、取得部Ｆ２１で混雑度が取得される毎に、取得部Ｆ２１で混雑度が取得された特定の周波数チャネルの混雑状況を更新する。図６は、「１ＣＨ」及び「２ＣＨ」に対応する特定の周波数チャネルの混雑度が取得部Ｆ２１で取得された場合の、結果表示画面Ｄ１０を示している。図６から明らかなように、「１ＣＨ」及び「２ＣＨ」に対応する特定の周波数チャネルでは、第２表示領域Ｒ２１，Ｒ２２及び第３表示領域Ｒ３１，Ｒ３２が更新されている。つまり、第２表示領域Ｒ２１に、推奨マーク（「〇」）が表示され、第２表示領域Ｒ２２に、混雑マーク（「△」）が表示されている。また、第３表示領域Ｒ３１に「１」、第３表示領域Ｒ３２に「１５」が表示されている。そして、取得部Ｆ２１ですべての特定の周波数チャネルの混雑度が取得された場合には、図２に示すように、すべての特定の周波数チャネルの混雑状況が表示される。
【００５３】
更に、表示部Ｆ２２は、複数の特定の周波数チャネルのうち混雑度が最も低い特定の周波数チャネルの使用を推奨する表示を行うように構成される。特に、表示部Ｆ２２は、複数の特定の周波数チャネルのうち、混雑度が規定値未満であり、かつ混雑度が最も低い特定の周波数チャネルの使用を推奨する表示を行うように構成される。つまり、表示部Ｆ２２は、複数の特定の周波数チャネルのうち混雑度が規定値未満の特定の周波数チャネルから、混雑度が最も低い特定の周波数チャネルを、使用を推奨する周波数チャネルとして選択する。
【００５４】
表示部Ｆ２２は、図７に示すように、使用を推奨する周波数チャネルを示す画面Ｄ１１を表示する。図７では、画面Ｄ１１は、結果表示画面Ｄ１０に重ねて表示されている。画面Ｄ１１は、使用を推奨する周波数チャネルについての情報を表示するための表示領域Ｒ４１を含んでいる。例えば、混雑度（本実施形態では、混雑率の代表値）については、図２に示すように、ＣＨ１の周波数チャネルが「１」である。ＣＨ２の周波数チャネルが「１５」である。ＣＨ３の周波数チャネルが「１」である。ＣＨ４の周波数チャネルが「１００」である。ＣＨ５の周波数チャネルが「０」である。ＣＨ６の周波数チャネルが「２」である。この場合、表示部Ｆ２２は、混雑度が規定値（ここでは１０）未満の周波数チャネル、すなわち、ＣＨ１、ＣＨ３、ＣＨ５、ＣＨ６の４つの周波数チャネルから、使用を推奨する周波数チャネル（推奨チャネル）を選択する。言い換えれば、表示部Ｆ２２が推奨マークのある周波数チャネルから、使用を推奨する周波数チャネルを選択する。ここでは、ＣＨ５の周波数チャネルが混雑度が０で最も低い。よって、表示部Ｆ２２は、ＣＨ５の周波数チャネルを、使用を推奨する周波数チャネルとして選択し、画面Ｄ１１では、表示領域Ｒ４１に、「今回の確認結果による推奨は５ＣＨです。」といったメッセージが表示される。
【００５５】
一方、表示部Ｆ２２は、複数の特定の周波数チャネルのいずれの混雑度も規定値未満でない場合、複数の特定の周波数チャネルのそれぞれの混雑度の再取得を推奨する表示を行うように構成される。この場合、表示部Ｆ２２は、図８に示すように、混雑度の再取得を推奨する画面Ｄ１２を表示する。図８では、画面Ｄ１２は、結果表示画面Ｄ１０に重ねて表示されている。画面Ｄ１２は、混雑度の再取得を推奨するメッセージを表示するための表示領域Ｒ４２を含んでいる。画面Ｄ１２では、表示領域Ｒ４２に、「今回の確認結果による推奨できるチャンネルはありません。再度調査を行ってください。」といったメッセージが表示される。これは、混雑度が規定値未満の特定の周波数チャネルが存在しなければ、無線通信を安定的に確立することが難しいと考えられるためである。このような場合には、再度、複数の特定の周波数チャネルの混雑度の取得を促す。なお、図８では、画面Ｄ１２として、混雑度の再取得を推奨する画面を表示しているが、代わりに、ユーザが複数の周波数チャネルのうちから所望の周波数チャネルを選択することを促す画面を表示してもよい。
【００５６】
１．３  動作
以下、計測表示システム１０の動作について図９を参照して簡単に説明する。
【００５７】
まず、表示装置２０において混雑状況の表示を開始する操作が実行されると、表示部Ｆ２２は、図５に示すように、結果表示画面Ｄ１０を入出力部２１の画像表示装置に表示する。
【００５８】
また、表示装置２０では、取得部Ｆ２１が、特定の周波数チャネルの混雑度の要求を、各計測装置３０に送信する（Ｓ１１）。
【００５９】
計測装置３０では、表示装置２０の取得部Ｆ１１からの要求に応じて、計測部Ｆ３１が混雑度を要求された特定の周波数チャネルについて電波強度を測定し（Ｓ１２）、決定部Ｆ３２が混雑度（混雑率）を決定する（Ｓ１３）。計測装置３０は、決定部Ｆ３２で決定された混雑度を、表示装置２０に送信する。
【００６０】
表示装置２０では、取得部Ｆ２１が各計測装置３０から特定の周波数チャネルの混雑度を取得する。そうすると、表示部Ｆ２２は、各計測装置３０での特定の周波数チャネルの混雑度に基づいて、図２及び図６に示すように、結果表示画面Ｄ１０に、混雑状況を表示する（Ｓ１４）。
【００６１】
ここで、取得部Ｆ２１で特定の周波数チャネル全ての混雑度が取得されていなければ（Ｓ１５：Ｎｏ）、処理はステップＳ１１に戻る。そして、ステップＳ１１では、取得部Ｆ２１は、まだ混雑度が取得されていない特定の周波数チャネルの混雑度の要求を各計測装置３０に送信する。
【００６２】
一方、取得部Ｆ２１で特定の周波数チャネル全ての混雑度が取得されていれば（Ｓ１５：Ｙｅｓ）、図２に示すように、特定の周波数チャネル全てについて混雑状況が表示された結果表示画面Ｄ１０が表示される。また、表示部Ｆ２２は、混雑度が規定値未満の特定の周波数チャネルが存在するかどうかを判定する（Ｓ１６）。
【００６３】
ここで、混雑度が規定値未満の特定の周波数チャネルが存在すれば（Ｓ１６：Ｙｅｓ）、表示部Ｆ２２は、図７に示すように、画面Ｄ１１を表示して、使用を推奨する周波数チャネル（推奨チャネル）を表示する（Ｓ１７）。
【００６４】
一方、混雑度が規定値未満の特定の周波数チャネルが存在しなければ（Ｓ１６：Ｎｏ）、表示部Ｆ２２は、図８に示すように、画面Ｄ１２を表示して、混雑度の再取得を推奨する（Ｓ１８）。
【００６５】
１．４  まとめ
以上述べた表示装置２０は、取得部Ｆ２１と、表示部Ｆ２２とを備える。取得部Ｆ２１は、電波を媒体とする無線通信に利用される複数の周波数チャネルに含まれる複数の特定の周波数チャネルのそれぞれについて、電波強度に基づいて決定される混雑度を取得するように構成される。表示部Ｆ２２は、複数の特定の周波数チャネルのそれぞれの混雑度に基づいて混雑状況を表示するように構成される。この表示装置２０によれば、無線通信に適切な周波数チャネルの設定が可能になる。
【００６６】
換言すれば、表示装置２０は、下記の方法（表示方法）を実行しているといえる。表示方法は、取得ステップと、表示ステップとを含む。取得ステップは、電波を媒体とする無線通信に利用される複数の周波数チャネルに含まれる複数の特定の周波数チャネルのそれぞれについて、電波強度に基づいて決定される混雑度を取得するステップである。表示ステップは、複数の特定の周波数チャネルのそれぞれの混雑度に基づいて混雑状況を表示するステップである。この表示方法によれば、表示装置２０と同様に、無線通信に適切な周波数チャネルの設定が可能になる。
【００６７】
表示方法は、１以上のプロセッサがプログラム（コンピュータプログラム）を実行することにより実現される。このプログラムは、１以上のプロセッサに表示方法を実行させるためのプログラムである。このようなプログラムによれば、表示方法と同様に、無線通信に適切な周波数チャネルの設定が可能になる。
【００６８】
また、以上述べた計測装置３０は、計測部Ｆ３１と、決定部Ｆ３２と、を備える。計測部Ｆ３１は、電波を媒体とする無線通信に利用される複数の周波数チャネルに含まれる複数の特定の周波数チャネルのそれぞれについて、電波強度を計測するように構成される。決定部Ｆ３２は、複数の特定の周波数チャネルのそれぞれについて、電波強度に基づいて混雑度を決定するように構成される。この計測装置３０によれば、無線通信に適切な周波数チャネルの設定が可能になる。
【００６９】
換言すれば、計測装置３０は、下記の方法（計測方法）を実行しているといえる。計測方法は、計測ステップと、決定ステップとを含む。計測ステップは、電波を媒体とする無線通信に利用される複数の周波数チャネルに含まれる複数の特定の周波数チャネルのそれぞれについて、電波強度を計測するステップである。決定ステップは、複数の特定の周波数チャネルのそれぞれについて、電波強度に基づいて混雑度を決定するステップである。この計測方法によれば、計測装置３０と同様に、無線通信に適切な周波数チャネルの設定が可能になる。
【００７０】
計測方法は、１以上のプロセッサがプログラム（コンピュータプログラム）を実行することにより実現される。このプログラムは、１以上のプロセッサに計測方法を実行させるためのプログラムである。このようなプログラムによれば、計測方法と同様に、無線通信に適切な周波数チャネルの設定が可能になる。
【００７１】
また、以上述べた計測表示システム１０は、計測部Ｆ３１と、決定部Ｆ３２と、表示部Ｆ２２と、を備える。計測部Ｆ３１は、電波を媒体とする無線通信に利用される複数の周波数チャネルに含まれる複数の特定の周波数チャネルのそれぞれについて、電波強度を計測するように構成される。決定部Ｆ３２は、複数の特定の周波数チャネルのそれぞれについて、電波強度に基づいて混雑度を決定するように構成される。表示部Ｆ２２は、複数の特定の周波数チャネルのそれぞれの混雑度に基づいて混雑状況を表示するように構成される。この計測表示システム１０によれば、無線通信に適切な周波数チャネルの設定が可能になる。
【００７２】
換言すれば、計測表示システム１０は、下記の方法（計測表示方法）を実行しているといえる。計測表示方法は、計測ステップと、決定ステップと、表示ステップとを含む。計測ステップは、電波を媒体とする無線通信に利用される複数の周波数チャネルに含まれる複数の特定の周波数チャネルのそれぞれについて、電波強度を計測するステップである。決定ステップは、複数の特定の周波数チャネルのそれぞれについて、電波強度に基づいて混雑度を決定するステップである。表示ステップは、複数の特定の周波数チャネルのそれぞれの混雑度に基づいて混雑状況を表示するステップである。この計測表示方法によれば、計測表示システム１０と同様に、無線通信に適切な周波数チャネルの設定が可能になる。
【００７３】
計測表示方法は、１以上のプロセッサがプログラム（コンピュータプログラム）を実行することにより実現される。このプログラムは、１以上のプロセッサに計測表示方法を実行させるためのプログラムである。このようなプログラムによれば、計測表示方法と同様に、無線通信に適切な周波数チャネルの設定が可能になる。
【００７４】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００７５】
上記実施形態では、各計測装置３０は、各特定の周波数チャネルについて１つの混雑率を得ている。この場合、混雑度は混雑率に一致する。しかし、混雑度は、２以上の混雑率を含む数列であってもよいし、２以上の混雑率から演算された値であってもよい。一変形例では、各計測装置３０は、各特定の周波数チャネルについて複数（２以上）の混雑率を得てよい。つまり、各計測装置３０は、同一の周波数チャネルに関して、混雑率を複数回求めてよい。この場合には、複数の特定の周波数チャネルのそれぞれについて、同一の地点での複数の混雑率が得られる。そして、混雑状況は、複数の特定の周波数チャネルのそれぞれについて、同一の地点での複数の混雑率の代表値を含んでよい。
【００７６】
上記実施形態では、各特定の周波数チャネルについて、複数の地点での混雑率を得ている。そして、表示部Ｆ２２で表示される混雑状況は、複数の特定の周波数チャネルのそれぞれについて、異なる複数の地点について求められた複数の混雑率の代表値を含んでいる。各特定の周波数チャネルについて、複数の地点での混雑率を得るために、上記実施形態では、複数の地点（図４のＰ１〜Ｐ６参照）にそれぞれ計測装置３０を設置している。一変形例では、単一の計測装置３０を用いて複数の地点で混雑率を求めてよい。すなわち、複数の計測装置３０を利用することは必須ではない。
【００７７】
要するに、混雑状況は、複数の特定の周波数チャネルのそれぞれについて、１以上の地点での１以上の混雑率の代表値を含んでいてよい。代表値は、複数の混雑率の平均値、最頻値、最低値、最高値等、数学的に求められる値であってよい。代表値は、無線通信の確立の確実性を考慮すれば、最高値、つまり、最も混雑しているときの値を利用することが好ましい。
【００７８】
上記実施形態では、混雑度を混雑率により評価している。ここで、混雑率は、電波強度を複数回計測した場合における、電波強度が閾値以上となった割合で表される。一変形例では、混雑率は、電波強度を複数回計測した場合における、電波強度の代表値であってもよい。代表値は、複数の混雑率の平均値、最頻値、最低値、最高値等、数学的に求められる値であってよい。ただし、混雑率は、電波強度を複数回計測した場合における、電波強度が閾値以上となった割合で表したほうが、無線通信に適切な周波数チャネルの設定に効果的である。
【００７９】
上記実施形態では、混雑状況は、複数の特定の周波数チャネルのそれぞれについて、１以上の地点での１以上の混雑率の代表値を含む。ただし、混雑状況は、混雑率の代表値の代わりに、混雑度自体を含んでよい。また、混雑状況は、混雑度の目安となる表示を含むが、必ずしも混雑度の目安となる表示を含んでいる必要はない。
【００８０】
上記実施形態では、計測装置３０から混雑度を得ているが、無線通信システム（負荷制御システム１００）において、無線通信を行う機器（照明器具５０、コントローラ３００、設定システム６００等）に計測装置３０としての機能を持たせてもよい。また、無線通信システムにおいて無線通信を行う機器に限らず、無線通信システムに含まれる機器に計測装置３０としての機能を持たせてもよい。
【００８１】
一変形例では、取得部Ｆ２１は、計測装置３０から混雑度を取得する代わりに、計測装置３０から得た電波強度に基づいて混雑度を取得してよい。つまり、取得部Ｆ２１は、決定部Ｆ３２としての機能を備えていてもよい。
【００８２】
一変形例では、表示装置２０と計測装置３０とは単一の装置であってよい。つまり、表示装置２０は、計測装置３０としての機能を持っていてもよい。この場合、取得部Ｆ２１は省略可能である。
【００８３】
一変形例では、複数の周波数チャネルは９２０ＭＨｚ帯に限らず、無線通信で利用される周波数帯（例えば、４２０ＭＨｚ）を考慮して適宜決定されてよい。また、周波数チャネル間の間隔も、０．２ＭＨｚに限らず、周波数帯に応じて適宜決定されてよい。
【００８４】
一変形例では、計測表示システム１０は、複数のコンピュータにより構成されていてもよい。例えば、計測表示システム１０の機能（特に、計測部Ｆ３１、決定部Ｆ３２、表示部Ｆ２２）は、複数の装置に分散されていてもよい。更に、計測表示システム１０の機能の少なくとも一部が、例えば、クラウド（クラウドコンピューティング）によって実現されていてもよい。
【００８５】
以上述べた計測表示システム１０の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における計測表示システム１０の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。ＬＳＩの製造後にプログラムされる、フィールド・プログラマブル・ゲート・アレイ（ＦＧＰＡ）、ＡＳＩＣ（application specific integrated circuit）、又はＬＳＩ内部の接合関係の再構成又はＬＳＩ内部の回路区画のセットアップができる再構成可能な論理デバイスも同じ目的で使うことができる。複数の電子回路は、１つのチップに集約されていてもよいし、複数のチップに分散して設けられていてもよい。複数のチップは、１つの装置に集約されていてもよいし、複数の装置に分散して設けられていてもよい。
【００８６】
３．態様
上記実施形態及び変形例から明らかなように、本開示は、下記の態様を含む。以下では、実施形態との対応関係を明示するためだけに、符号を括弧付きで付している。
【００８７】
第１の態様は、表示方法であって、取得ステップと、表示ステップとを含む。前記取得ステップは、電波を媒体とする無線通信に利用される複数の周波数チャネルに含まれる複数の特定の周波数チャネルのそれぞれについて、電波強度に基づいて決定される混雑度を取得するステップである。前記表示ステップは、前記複数の特定の周波数チャネルのそれぞれの混雑度に基づいて混雑状況を表示するステップである。この態様によれば、無線通信に適切な周波数チャネルの設定が可能になる。
【００８８】
第２の態様は、第１の態様の表示方法に基づく。第２の態様では、前記表示ステップは、前記複数の特定の周波数チャネルのうち混雑度が最も低い特定の周波数チャネルの使用を推奨する表示を行う。この態様によれば、無線通信に適切な周波数チャネルの選択が容易になる。
【００８９】
第３の態様は、第１又は第２の態様の表示方法に基づく。第３の態様では、前記表示ステップは、前記複数の特定の周波数チャネルのうち、混雑度が規定値未満であり、かつ混雑度が最も低い特定の周波数チャネルの使用を推奨する表示を行う。この態様によれば、無線通信により適切な周波数チャネルの設定が容易になる。
【００９０】
第４の態様は、第３の態様の表示方法に基づく。第４の態様では、前記表示ステップは、前記複数の特定の周波数チャネルのいずれの混雑度も前記規定値未満でない場合、前記複数の特定の周波数チャネルのそれぞれの混雑度の再取得を推奨する表示を行う。この態様によれば、無線通信により適切な周波数チャネルの設定が可能になる。
【００９１】
第５の態様は、第１〜第４の態様のいずれか一つの表示方法に基づく。第５の態様では、前記表示ステップは、前記取得ステップで混雑度が取得される毎に、前記取得ステップで混雑度が取得された特定の周波数チャネルの混雑状況を更新する。この態様によれば、混雑度の取得が全て終了するのを待たなくても、無線通信により適切な周波数チャネルの設定が可能になる。
【００９２】
第６の態様は、第１〜第５の態様のいずれか一つの表示方法に基づく。第６の態様では、前記複数の特定の周波数チャネルのそれぞれについて、前記混雑度は、電波強度から求められる混雑率により決定される。この態様によれば、無線通信により適切な周波数チャネルの設定が可能になる。
【００９３】
第７の態様は、第６の態様の表示方法に基づく。第７の態様では、前記混雑状況は、前記複数の特定の周波数チャネルのそれぞれについて、１以上の地点での１以上の混雑率の代表値を含む。この態様によれば、無線通信により適切な周波数チャネルの設定が可能になる。
【００９４】
第８の態様は、第６の態様の表示方法に基づく。第８の態様では、前記混雑状況は、前記複数の特定の周波数チャネルのそれぞれについて、同一の地点での複数の混雑率の代表値を含む。この態様によれば、無線通信により適切な周波数チャネルの設定が可能になる。
【００９５】
第９の態様は、第６の態様の表示方法に基づく。第９の態様では、前記混雑状況は、前記複数の特定の周波数チャネルのそれぞれについて、異なる複数の地点について求められた複数の混雑率の代表値を含む。この態様によれば、無線通信により適切な周波数チャネルの設定が可能になる。
【００９６】
第１０の態様は、第７〜第９の態様のいずれか一つの表示方法に基づく。第１０の態様では、前記代表値は、最高値である。この態様によれば、無線通信により適切な周波数チャネルの設定が可能になる。
【００９７】
第１１の態様は、第６〜第１０の態様のいずれか一つの表示方法に基づく。第１１の態様では、前記混雑率は、電波強度を複数回計測した場合における、電波強度が閾値以上となった割合で表される。この態様によれば、無線通信により適切な周波数チャネルの設定が可能になる。
【００９８】
第１２の態様は、１以上のプロセッサに、第１〜第１１の態様のいずれか一つの表示方法を実行させるための、プログラムである。この態様によれば、無線通信に適切な周波数チャネルの設定が可能になる。
【００９９】
第１３の態様は、表示装置（２０）であって、取得部（Ｆ２１）と、表示部（Ｆ２２）とを備える。前記取得部（Ｆ２１）は、電波を媒体とする無線通信に利用される複数の周波数チャネルに含まれる複数の特定の周波数チャネルのそれぞれについて、電波強度に基づいて決定される混雑度を取得するように構成される。前記表示部（Ｆ２２）は、前記複数の特定の周波数チャネルのそれぞれの混雑度に基づいて混雑状況を表示するように構成される。この態様によれば、無線通信に適切な周波数チャネルの設定が可能になる。
【０１００】
第１４の態様は、計測装置（３０）であって、計測部（Ｆ３１）と、決定部（Ｆ３２）とを備える。前記計測部（Ｆ３１）は、電波を媒体とする無線通信に利用される複数の周波数チャネルに含まれる複数の特定の周波数チャネルのそれぞれについて、電波強度を計測するように構成される。前記決定部（Ｆ３２）は、前記複数の特定の周波数チャネルのそれぞれについて、電波強度に基づいて混雑度を決定するように構成される。この態様によれば、無線通信に適切な周波数チャネルの設定が可能になる。
【０１０１】
第１５の態様は、計測表示システム（１０）であって、計測部（Ｆ３１）と、決定部（Ｆ３２）と、表示部（Ｆ２２）とを備える。前記計測部（Ｆ３１）は、電波を媒体とする無線通信に利用される複数の周波数チャネルに含まれる複数の特定の周波数チャネルのそれぞれについて、電波強度を計測するように構成される。前記決定部（Ｆ３２）は、前記複数の特定の周波数チャネルのそれぞれについて、電波強度に基づいて混雑度を決定するように構成される。前記表示部（Ｆ２２）は、前記複数の特定の周波数チャネルのそれぞれの混雑度に基づいて混雑状況を表示するように構成される。この態様によれば、無線通信に適切な周波数チャネルの設定が可能になる。
【符号の説明】
【０１０２】
１０  計測表示システム
２０  表示装置
３０  計測装置
Ｆ２１  取得部
Ｆ２２  表示部
Ｆ３１  計測部
Ｆ３２  決定部
【図１】
2020095646.tif 000003
【図２】
2020095646.tif 000004
【図３】
2020095646.tif 000005
【図４】
2020095646.tif 000006
【図５】
2020095646.tif 000007
【図６】
2020095646.tif 000008
【図７】
2020095646.tif 000009
【図８】
2020095646.tif 000010
【図９】
2020095646.tif 000011
【手続補正書】
【提出日】令和3年4月28日(2021.4.28)
【手続補正１】
【補正対象書類名】明細書
【補正対象項目名】００１２
【補正方法】変更
【補正の内容】
【００１２】
１．実施形態
１．１  概要
図１は、一実施形態の表示方法を実行する計測表示システム１０を示す。本実施形態の表示方法は、取得ステップと、表示ステップとを含む。取得ステップは、電波を媒体とする無線通信に利用される複数の周波数チャネルに含まれる複数の特定の周波数チャネルのそれぞれについて、電波強度に基づいて決定される混雑度を取得するステップである。表示ステップは、複数の特定の周波数チャネルのそれぞれの混雑度に基づいて混雑状況を表示するステップである。計測表示システム１０は、表示方法を実行することによって、図２に示すような表示画面Ｄ１０を表示する。表示画面Ｄ１０では、表示領域Ｒ２１〜Ｒ２６及び表示領域Ｒ３１〜Ｒ３６に混雑状況が表示されている。
【手続補正２】
【補正対象書類名】明細書
【補正対象項目名】００１５
【補正方法】変更
【補正の内容】
【００１５】
図３は、無線通信システムの一例である、負荷制御システム１００を示す。負荷制御システム１００は、負荷を制御するシステムである。負荷制御システム１００は、図３に示すように、管理装置２００、コントローラ３００、複数（ここでは、３つ）のリレー４００、複数の照明器具５００、及び、設定システム６００を備える。負荷制御システム１００では、照明器具５００が負荷である。つまり、負荷制御システム１００は、照明器具を制御する照明制御システムとしての側面を有する。
【手続補正３】
【補正対象書類名】明細書
【補正対象項目名】００１８
【補正方法】変更
【補正の内容】
【００１８】
コントローラ３００は、管理装置２００と有線で接続されている。コントローラ３００は、複数のグループＡ１〜Ａ３を含む設定情報を記憶し、管理装置２００の指示に基づいて複数のグループＡ１〜Ａ３のうちいずれかのグループに各々が属する複数の照明器具５００に対して複数のグループＡ１〜Ａ３ごとに制御する。例えば、コントローラ３００は、管理装置２００の指示に基づいて、制御対象のグループＡ１〜Ａ３に含まれる１つ以上の照明器具５００の調光及び調色の少なくとも一方の制御を行う。
【手続補正４】
【補正対象書類名】図面
【補正対象項目名】図４
【補正方法】変更
【補正の内容】
【図４】
2020095646.tif 000012
【国際調査報告】
2020095646.tif 000013
2020095646.tif 000014
2020095646.tif 000015
2020095646.tif 000016